(57)【特許請求の範囲】
【請求項１】
被覆ケーブルの被覆を回転する刃による切断動作中に、自動で被覆ケーブルの芯出しも可能にする回転カッター芯出ユニットであって、
被覆ケーブルの長手方向と直交する同一面上を直動しつつ回転し、等角度で２以上配置された複数の刃と、
前記刃に保持具を介して固定されたベアリングとからなり、
前記刃が前記被覆ケーブルの被覆を切断する際、前記ベアリングの外周面で前記被覆ケーブルの被覆を押圧し、前記被覆ケーブルの芯出しを行うことを特徴とする回転カッター芯出ユニット。
【請求項２】
前記ベアリングが、前記保持具に２箇所設けられ、前記保持具とともに位置入れ替え可能で、かつ前記ベアリングの固定位置が前記保持具の固定位置から非等距離であり、異なる被覆厚及び／又は異なる被覆ケーブル径の被覆の切断、剥離可能としたことを特徴とする請求項１に記載の回転カッター芯出ユニット。
【請求項３】
前記刃が、断面で先端部に向け一方の面が他方の面に斜めにテーパーの片刃であり、被覆ケーブルを挟む二対一組が同一面を挟み背中合わせで設置される合計四枚であることを特徴とする請求項１又は請求項２に記載の回転カッター芯出ユニット
【請求項４】
前記ベアリングの前記刃への固定中心位置が偏心した偏心ベアリングとし、前記ベアリングの固定向きを変更することで、異なる被覆厚及び／又は異なる被覆ケーブル径の被覆の切断、剥離を一種類の偏心ベアリングで可能としたことを特徴とする請求項１〜請求項３の何れか１項に記載の回転カッター芯出ユニット。
【請求項５】
前記ベアリングが、前記刃の被覆ケーブル剥離側の面に固定されたことを特徴とする請求項１〜請求項４の何れか１項に記載の回転カッター芯出ユニット。
【請求項６】
前記ベアリングが、前記被覆ケーブル方向にスライド可能に係止され、バネ付勢で前記ベアリングの外周面で前記被覆ケーブルを押圧することで芯出しを行うことを特徴とする請求項１〜請求項５の何れか１項に記載の回転カッター芯出ユニット。
【請求項７】
請求項１〜請求項６の何れか１項に記載の回転カッター芯出ユニットを備え、前記回転カッター芯出ユニットを回転させつつ、芯出しを行い、前記被覆を切断し、前記回転カッター芯出ユニットの前記被覆ケーブルの長手方向への直動で切断された前記被覆を剥離することを特徴とする被覆ケーブルの被覆剥離装置。
【発明の詳細な説明】
【技術分野】
【０００１】
本発明は、芯材を被覆した被覆ケーブルの被覆を回転する刃による切断動作中に、自動で被覆ケーブルの中心位置の芯出しも可能にする被覆ケーブルの被覆剥離装置用の回転カッター芯出ユニットに関する。また、回転カッター芯出ユニットを備える被覆剥離装置に関する。
【背景技術】
【０００２】
ここで、被覆ケーブルとは、各種芯材（導線、光ファイバ、被覆撚線など）の外周をゴム、プラスチックなどの絶縁被覆、金属薄などで被覆した、例えば電線、光ファイバケーブル、各種導電線などである。
【０００３】
被覆ケーブルの被覆を切断、剥離する装置として、例えば、特許文献１（図２２）等の渦回転７０ａする（文献１の螺旋溝１７に沿って回転する）板刃７０（文献１の刃物６）によって被覆ケーブル６０のカット径を無段階に調節した上で、回転することで、被覆ケーブル６０の被覆６０ｂを輪切りにカットし、カットした被覆６０ｂを引き抜く、被覆ケーブルの被覆剥離装置が提案されている。
【０００４】
又、特許文献２にも、絶縁電線の被覆を円周方向及び長手方向に沿って切断するための電線被覆切断装置が開示されている。
【０００５】
また、特許文献３、４、５にも回転する刃で、被覆を切断し、回転刃の被覆ケーブルの長手方向への直動で被覆を剥離する被覆剥離装置が開示されている。
【０００６】
しかしながら、被覆ケーブルは、湾曲しており、単なる回転刃の被覆ケーブルの長手方向への直動では、被覆ケーブル６０の中心がズレてしまい、芯材を傷つけて、或いは折れやすくしてしまうことがあった。
【先行技術文献】
【特許文献】
【０００７】
【特許文献１】特開平１１−９８６３８号公報
【特許文献２】特開平０７−１６３０２７号公報
【特許文献３】特開２００２−３０５８２２号公報
【特許文献４】特開２００６−１４９０８２号公報
【特許文献５】特開２０１４−１２４０５１号公報
【発明の概要】
【発明が解決しようとする課題】
【０００８】
そこで、本発明は、被覆ケーブルの被覆を回転する刃による切断動作中に、自動で被覆ケーブルの芯出しも可能にする回転カッター芯出ユニット及びそれを備えた被覆剥離装置を提供することを目的とする。
【課題を解決するための手段】
【０００９】
本発明は、上記の課題を解決するために、
（１）
被覆ケーブルの被覆を回転する刃による切断動作中に、自動で被覆ケーブルの芯出しも可能にする回転カッター芯出ユニットであって、
被覆ケーブルの長手方向と直交する同一面上を直動しつつ回転し、等角度で２以上配置された複数の刃と、
前記刃に保持具を介して固定されたベアリングとからなり、
前記刃が前記被覆ケーブルの被覆を切断する際、前記ベアリングの外周面で前記被覆ケーブルの被覆を押圧し、前記被覆ケーブルの芯出しを行うことを特徴とする回転カッター芯出ユニット。
（２）
前記ベアリングが、前記保持具に２箇所設けられ、前記保持具とともに位置入れ替え可能で、かつ前記ベアリングの固定位置が前記保持具の固定位置から非等距離であり、異なる被覆厚及び／又は異なる被覆ケーブル径の被覆の切断、剥離可能としたことを特徴とする（１）に記載の回転カッター芯出ユニット。
（３）
前記刃が、断面で先端部に向け一方の面が他方の面に斜めにテーパーの片刃であり、被覆ケーブルを挟む二対一組が同一面を挟み背中合わせで設置される合計四枚であることを特徴とする（１）又は（２）に記載の回転カッター芯出ユニット
（４）
前記ベアリングの前記刃への固定中心位置が偏心した偏心ベアリングとし、前記ベアリングの固定向きを変更することで、異なる被覆厚及び／又は異なる被覆ケーブル径の被覆の切断、剥離を一種類の偏心ベアリングで可能としたことを特徴とする（１）〜（３）の何れかに記載の回転カッター芯出ユニット。
（５）
前記ベアリングが、前記刃の被覆ケーブル剥離側の面に固定されたことを特徴とする（１）〜（４）の何れかに記載の回転カッター芯出ユニット。
（６）
前記ベアリングが、前記被覆ケーブル方向にスライド可能に係止され、バネ付勢で前記被覆ケーブルを押圧することで芯出しを行うことを特徴とする（１）〜（５）の何れかに記載の回転カッター芯出ユニット。
（７）
（１）〜（６）の何れかに記載の回転カッター芯出ユニットを備え、前記回転カッター芯出ユニットを回転させつつ、芯出しを行い、前記被覆を切断し、前記回転カッター芯出ユニットの前記被覆ケーブルの長手方向への直動で切断された前記被覆を剥離することを特徴とする被覆ケーブルの被覆剥離装置。
とした。
【発明の効果】
【００１０】
本発明は、上記構成であるので、以下の効果を発揮する。被覆ケーブルの被覆を回転する刃による切断動作中に、自動で被覆ケーブルの芯出しも可能にすることができる。また、既存の被覆剥離装置に、ベアリング付きの本発明である回転カッター芯出ユニットと交換するだけで、芯出し機能を、簡易、かつ低廉で付加することができる。
【図面の簡単な説明】
【００１１】
【図１】本発明である回転カッター芯出ユニットの第一の実施形態の（Ａ）縦断面図及び（Ｂ）正面図模式図である。
【図２】本発明である回転カッター芯出ユニットの第二の実施形態の（Ａ）縦断面図及び（Ｂ）正面図模式図である。
【図３】本発明である回転カッター芯出ユニットの第三の実施形態の（Ａ）縦断面図及び（Ｂ）正面図模式図である。
【図４】本発明である回転カッター芯出ユニットの第三の実施形態の正面側斜視模式図である。
【図５】本発明である回転カッター芯出ユニットの第三の実施形態の正面側斜視分解模式図である。
【図６】本発明である回転カッター芯出ユニットの第三の実施形態の背面側斜視分解模式図である。
【図７】本発明である回転カッター芯出ユニットの第四の実施形態の（Ａ）縦断面図及び（Ｂ）正面図模式図である。
【発明を実施するための形態】
【００１２】
以下、添付の図面を参照し、本発明の実施の形態について、詳細に説明する。なお、本発明は下記実施例に限定されるものではない。
【実施例１】
【００１３】
以下、被覆ケーブルの長手方向と直交する同一面に、被覆ケーブルを挟み刃の先端部が対向する二組一対の刃部と、それらと９０度回転した位置で、かつそれぞれが前記同一面で背合わせに配置された二組一対の刃部とからなり、前記同一面に沿ってスライドする合計四枚の刃を備えた、四組の回転カッター芯出ユニットの例について説明する。
【００１４】
回転カッター芯出ユニットの回転、及び回転する刃の直動機構は、特に限定されるものではなく、特許文献１−５等に開示の回転、直動機構なども採用できる。それらの回転、直動機能は、特許文献１−５に詳細に開示されているので、参照されたい。
【００１５】
図１に示すように、本発明である回転カッター芯出ユニット１は、被覆ケーブル５の被覆５ｂを回転する刃（表タイプ）２ａ及び刃（裏タイプ）１２ａにより切断する動作中に、自動で被覆ケーブル５の芯出も行うものであって、対の刃部２、２と、刃部２、２と９０度回転した位置に配置される対の刃部１２、１２からなる。刃部２、１２は、それぞれ等間隔で配置される。
【００１６】
刃部２は、刃（表タイプ）２ａと、偏心ベアリング３と、留具４とからなる。
【００１７】
刃（表タイプ）２ａは、板状で、断面で先端部２ｂに向け一方の面が他方の面に斜めにテーパーの和包丁のような片刃で、被覆ケーブル５の長手方向と直交する同一面上に等角度で配置され、直動しつつ回転し、留具４で被覆剥離装置の回転体（省略）に前記同一面を直動スライド可能に固定される。二対の刃（表タイプ）２ａ、２ａは、被覆ケーブル５を挟み対向して配置される。
【００１８】
回転体は、刃部２を回転させ、被覆ケーブル５方向に直動スライドさせ、また被覆ケーブル５の長手方向に直動させる回転体（省略）に固定される。回転体は、直動機構（省略）によって、直動する。その回転体の直動により、切断された被覆５ｂの端部は、芯材５ａを残し剥離される。
【００１９】
偏心ベアリング３は、一般的なベアリングと、保持具３ｆとからなり、ボルト３ｈとナット３ｉで刃（表タイプ）２ａの正面側、即ち、被覆ケーブル５の剥離側の面に固定される。なお、偏心ベアリング３を一般的な偏心していないベアリングとしても、芯出しは可能である。ただし、被覆ケーブル５の径、被覆５ｂの厚さについては、一種類のみの適用となる。
【００２０】
一般的なベアリングは、図１（Ａ）の断面に示すように、内輪３ａと、外輪３ｂと、内外輪３ａ、３ｂに挟まれた転動体３ｃと、転動体３ｃを位置決めする保持器３ｄとからなり、内輪には貫通孔３ｅがある。外輪３ｂの外周面は、刃（表タイプ）２ａが被覆ケーブル５の被覆５ｂを切断する際、被覆ケーブル５の被覆５ｂを押圧し、被覆ケーブル５の芯出しを可能にする。
【００２１】
保持具３ｆは、ベアリングの内輪３ａの貫通孔３ｅに嵌入し、内輪３ａに固定されるものであって、ここでは、円柱状の偏心穴３ｇが穿設されており、偏心穴３ｇはベアリングの円の中心から中心がズレている。ボルト３ｈは、偏心穴３ｇに嵌る、四角柱で、ベアリングの内輪３ａの回転を止める。ナット３ｉは、ボルト３ｈに螺合し、保持具３ｆを刃（表タイプ）２ａに固定する。
【００２２】
保持具３ｆの表面には、刃（表タイプ）２ａの先端部２ｂからの距離、ここでは、２、３、４（ｍｍ）が刻印されており、被覆ケーブル５の被覆厚に応じて、偏心ベアリング３の位置を変更するのに役立つ。
【００２３】
留具４は、刃（表タイプ）２ａを回転体に、被覆ケーブル５方向に直動スライド可能に固定する。
【００２４】
刃部１２は、刃（裏タイプ）１２ａと、偏心ベアリング１３と、留具１４とからなる。
【００２５】
刃（裏タイプ）１２ａは、刃（表タイプ）２ａと形状は同じであるが、先端部１２ｂに向けたテーパー方向が逆面になるよう配置される点で異なる。即ち、刃（裏タイプ）１２ａは、板状で、断面で先端部１２ｂに向け一方の面が他方の面に斜めにテーパーの和包丁のような片刃で、被覆ケーブル５の長手方向と直交する同一面上に等角度で配置され、直動しつつ回転し、留具１４で被覆剥離装置の回転体（省略）に前記同一面で直動スライド可能に固定される。二対の刃（裏タイプ）１２ａ、１２ａは、被覆ケーブル５を挟み対向して配置されるとともに、刃（表タイプ）２ａの組と、同一面を挟み背中合わせで設置される。
【００２６】
偏心ベアリング１３は、偏心ベアリング３と同一である。留具１４は、留具４と同じである。
【００２７】
このような構成の偏心ベアリング３を採用することで、ベアリングの保持具３ｆへの固定向きを回転させて変更することができ、その結果、ベアリングの外輪３ｂで形成される円軌道の大きさを変更することができる。即ち、異なる被覆５ｂの厚さ及び／又は異なる被覆ケーブル５の径の被覆５ｂの切断、剥離を一種類の回転カッター芯出ユニット１で可能にする。
【実施例２】
【００２８】
図２に示すように、本発明である回転カッター芯出ユニット１ａは、実施例１において、ベアリングが、保持具２５ａ、３５ａに二箇所設けられ、保持具２５ａ、３５ａとともに位置入れ替え可能で、かつベアリングの固定位置が保持具２５ａ、３５ａの固定位置から非等距離であり、異なる被覆５ｂの厚さ及び／又は異なる被覆ケーブル５の径の被覆５ｂの切断、剥離を可能としたものである。
【００２９】
より具体的には、本発明である回転カッター芯出ユニット１ａは、被覆ケーブル５の被覆５ｂを回転する刃（表タイプ）２２ａ及び刃（裏タイプ）３２ａにより切断する動作中に、自動で被覆ケーブル５の芯出も行うものであって、対の刃部２２、２２と、刃部２２、２２と９０度回転した位置に配置される対の刃部３２、３２からなる。刃部２２、３２は、それぞれ等間隔で配置される。
【００３０】
刃部２２は、刃（表タイプ）２２ａと、ベアリングユニット２５と、留具２４とからなる。刃（表タイプ）２２ａ（先端部２２ｂ）と留具２４は、実施例１の刃（表タイプ）２ａ（先端部２ｂ）と留具４と同じである。
【００３１】
ベアリングユニット２５は、保持具２５ａと、留具２５ｂと、ベアリング２５ｃ、２５ｄとからなる。留具２５ｂは実施例１のボルト３ｈ、３ｉナットと、ベアリング２５ｃ及び２５ｄは、実施例１の偏心ベアリング３と同じであるが、保持具２５ａの端部に非等距離に二個設けられている。
【００３２】
保持具２５ａは、プレート状で、留具２４によって、刃（表タイプ）２２ａに固定される。
【００３３】
なお、留具２５ｂのボルト２５ｅの先端部は、ナット２５ｆが螺合するネジとなっており、下部は保持具２５ａが回転しないよう四角柱とし、中位は円柱とした。ボルト２５ｅの中位を円柱とすることで、ナット２５ｆをボルト２５ｅから完全に外さなくとも保持具２５ａを円柱部で回転させ、保持具２５ａ（使用するベアリング）の向きを変えることができる。
【００３４】
刃部３２は、刃（裏タイプ）３２ａと、ベアリングユニット３５と、留具３４とからなる。刃（裏タイプ）３２ａ（先端部３２ｂ）と留具３４は、実施例１の刃（裏タイプ）１２ａ（先端部１２ｂ）と留具１４と同じである。
【００３５】
ベアリングユニット３５は、保持具３５ａと、留具３５ｂと、ベアリング３５ｃ、３５ｄとからなる。それらは、ベアリングユニット２５と同じである。刃（表タイプ）２２ａと刃（裏タイプ）３２ａは、被覆ケーブルの長手方向と直交する同一面上を挟み背中合わせで、等間隔で配置され、前記同一面を直動しつつ回転し、被覆５ｂを回転により切断する。
【００３６】
ベアリング２５ｃ、２５ｄを設けることで、保持具２５ａ、３５ａの向きを変えることで、異なる被覆厚及び／又は異なる被覆ケーブル径の被覆の切断、剥離を一種類の回転カッター芯出ユニット１ａ可能にする。
【実施例３】
【００３７】
図３に示すように、回転カッター芯出ユニット１ｂは、実施例１において、ベアリングが、被覆ケーブル５方向に位置スライド可能に係止され、バネ付勢で被覆ケーブル５を押圧するものである。
【００３８】
より具体的には、本発明である回転カッター芯出ユニット１ｂは、被覆ケーブル５の被覆５ｂを回転する刃（表タイプ）４２ａ及び刃（裏タイプ）５２ａにより切断する動作中に、自動で被覆ケーブル５の芯出も行うものであって、対の刃部４２、４２と、刃部４２、４２と９０度回転した位置に配置される対の刃部５２、５２からなる。
【００３９】
それぞれ二対の刃部４２、５２の刃は、被覆ケーブルの長手方向と直交する同一面上を挟み背中合わせで、等間隔で配置され、前記同一面を直動しつつ回転し、被覆５ｂを回転により切断する。
【００４０】
刃部４２は、刃（表タイプ）４２ａと、ローラ−ユニット４５と、留具４４とからなる。
【００４１】
刃部４２は、刃（表タイプ）４２ａ（先端部４２ｂ）と留具４４は、実施例１の刃（表タイプ）２ａ（先端部２ｂ）と留具４と同様である。ただし、刃（表タイプ）４２ａには、穴４２ｅ、４２ｆが穿設され、留具４２ｇで、ローラ−ユニット４５を刃（表タイプ）４２ａに固定する。なお、穴４２ｃ、４２ｄは、留具４４を通す穴である。
【００４２】
ローラ−ユニット４５は、図５に示すように、コの字型で、縁が屈曲して突出しコの字型の底の部分にネジ穴４５ｈが穿設された、留具４２ｇと螺合するネジ穴が穿設され留具４２ｇで刃（表タイプ）４２ａに当接、固定される受け板４５ｆと、受け板４５ｆの凹みに嵌められ、一端に被覆５ｂを押圧するベアリングであるローラ−４５ｃをボルト４５ｄで固定した枠４５ａと、枠４５ａのスペース４８に位置するバネ４５ｂと、バネ４５ｂの上部で枠４５ａのスペース４８に位置するカギ４７を上部に備えネジ穴４６ａ、４６ｂが穿設され、留具４５ｇで受け板４５ｆに固定される押え板４５ｅとからなり、刃部４２の直動によりローラ−４５ｃの外周面が、被覆５ｂを押圧し、押圧力をバネ４５ｂが調節し、被覆５ｂを切断する際、被覆ケーブル５の芯出しを行う。
【００４３】
刃部５２においては、刃（裏タイプ）５２ａと刃（表タイプ）４２ａが、表裏逆である他は同じである。
【００４４】
なお、ローラーユニット４５、５５は、被覆ケーブル５剥離側の面に固定される、ローラ−４５ｃ、５５ｃは、偏心ベアリングとしてもよい。
【実施例４】
【００４５】
図７に示すように、本発明である回転カッター芯出ユニット１ｃは、１種類の被覆ケーブル（同一厚の被覆）に専用の簡易な構造の回転カッター芯出ユニットである。
【００４６】
回転カッター芯出ユニット１ｃは、被覆ケーブル５の被覆５ｂを回転する刃（表タイプ）６２ａ及び刃（裏タイプ）７２ａにより切断する動作中に、自動で被覆ケーブル５の芯出も行うものであって、対の刃部６２、６２と、刃部６２、６２と９０度回転した位置に配置される対の刃部７２、７２からなる。
【００４７】
それぞれ二対の刃部６２、７２の刃は、被覆ケーブルの長手方向と直交する同一面上を挟み背中合わせで、等間隔で配置され、前記同一面を直動しつつ回転し、被覆５ｂを回転により切断する。
【００４８】
刃部６２は、板状の刃（表タイプ）６２ａと、刃（表タイプ）６２ａに留具６５で固定されたＴ字状の保持具６４と、保持具６４の先端に回転可能にボルト６３ａで固定したベアリング６３とからなる。
【００４９】
刃部７２は、板状の刃（裏タイプ）７２ａと、刃（裏タイプ）７２ａに留具７５で固定されたＴ字状の保持具７４と、保持具７４の先端に回転可能にボルト７３ａで固定したベアリング７３とからなる。
【００５０】
刃部７２においては、刃（裏タイプ）７２ａと刃（表タイプ）６２ａが、表裏逆である他は同じである。加えて、保持具７４と刃（裏タイプ）７２ａとにスペース７４ａがあり、刃（表タイプ）６２ａを収納することで、細い被覆ケーブルにも対応することができる。
【００５１】
刃（表タイプ）６２ａ及び刃（裏タイプ）７２ａは、板状で、断面で先端部６２ｂ、７２ｂに向け一方の面が他方の面に斜めにテーパーの和包丁のような片刃で、被覆ケーブル５の長手方向と直交する同一面上に等角度で配置され、直動しつつ回転し、留具６５、７５で被覆剥離装置の回転体（省略）に前記同一面を直動スライド可能に固定される。二対の刃（表タイプ）６２ａ、６２ａ及び刃（裏タイプ）７２ａ、７２ａは、被覆ケーブル５を挟み対向するとともに、９０度ずれて配置される。
【００５２】
回転体は、刃部６２、７２を回転させ、被覆ケーブル５方向に直動スライドさせ、また被覆ケーブル５の長手方向に直動させる回転体（省略）に固定される。回転体は、直動機構（省略）によって、直動する。その回転体の直動により、切断された被覆５ｂの端部は、芯材５ａを残し剥離される。
【００５３】
被覆ケーブル５を先端部６２ｂ、７２ｂで囲まれた内部に位置させ、刃部６２、７２が回転体により回転しつつ直動し、ベアリング６３、７３の外周面で被覆ケーブルを押圧することで芯出しを行いつつ、刃（表裏タイプ）６２ａ、７２ａの先端部６２ｂ、７２ｂで被覆を切断する。
【符号の説明】
【００５４】
１      回転カッター芯出ユニット
１ａ    回転カッター芯出ユニット
１ｂ    回転カッター芯出ユニット
１ｃ    回転カッター芯出ユニット
２      刃部
２ａ    刃（表タイプ）
２ｂ    先端部
３      偏心ベアリング
３ａ    内輪
３ｂ    外輪
３ｃ    転動体
３ｄ    保持器
３ｅ    貫通孔
３ｆ    保持具
３ｇ    偏心穴
３ｈ    ボルト
３ｉ    ナット
４      留具
５      被覆ケーブル
５ａ    芯材
５ｂ    被覆
１２    刃部
１２ａ  刃（裏タイプ）
１２ｂ  先端部
１３    偏心ベアリング
１４    留具
２２    刃部
２２ａ  刃（表タイプ）
２２ｂ  先端部
２４    留具
２５    ベアリングユニット
２５ａ  保持具
２５ｂ  留具
２５ｃ  ベアリング
２５ｄ  ベアリング
２５ｅ  ボルト
２５ｆ  ナット
３２    刃部
３２ａ  刃（裏タイプ）
３２ｂ  先端部
３４    留具
３５    ベアリングユニット
３５ａ  保持具
３５ｂ  留具
３５ｃ  ベアリング
３５ｄ  ベアリング
４２    刃部
４２ａ  刃（表タイプ）
４２ｂ  先端部
４２ｃ  穴
４２ｄ  穴
４２ｅ  穴
４２ｆ  穴
４２ｇ  留具
４４    留具
４５    ローラ−ユニット
４５ａ  枠
４５ｂ  バネ
４５ｃ  ローラ−
４５ｄ  ボルト
４５ｅ  押え板
４５ｆ  受け板
４５ｇ  留具
４５ｈ  ネジ穴
４６ａ  ネジ穴
４６ｂ  ネジ穴
４７    カギ
４８    スペース
５２    刃部
５２ａ  刃（裏タイプ）
５２ｂ  先端部
５４    留具
５５    ローラ−ユニット
５５ａ  枠
５５ｅ  押え板
６２    刃部
６２ａ  刃（表タイプ）
６２ｂ  先端部
６３    ベアリング
６３ａ  ボルト
６４    保持具
６５    留具
７２    刃部
７２ｂ  刃（裏タイプ）
７２ｂ  先端部
７３    ベアリング
７３ａ  ボルト
７４    保持具
７４ａ  スペース
７５    留具
【要約】
【課題】被覆ケーブルの被覆を回転する刃による切断動作中に、自動で被覆ケーブルの芯出しも可能にする回転カッター芯出ユニットを提供する。
【解決手段】被覆ケーブルの被覆を回転する刃による切断動作中に、自動で被覆ケーブルの芯出しも可能にする回転カッター芯出ユニットであって、
被覆ケーブルの長手方向と直交する同一面上を直動しつつ回転し、等角度で２以上配置された複数の刃と、前記刃に保持具を介して固定されたベアリングとからなり、
前記刃が前記被覆ケーブルの被覆を切断する際、前記ベアリングの外周面で前記被覆ケーブルの被覆を押圧し、前記被覆ケーブルの芯出しを行うことを特徴とする回転カッター芯出ユニットとした。
【選択図】図１【図１】
0005791137.tif 000002
【図２】
0005791137.tif 000003
【図３】
0005791137.tif 000004
【図７】
0005791137.tif 000005
【図４】
0005791137.tif 000006
【図５】
0005791137.tif 000007
【図６】
0005791137.tif 000008